(57)【要約】【課題】流し台２を大型化することなく流し台２の奥側位置２ａへ左右方向に沿って移動可能なスライド部材３を設ける。【解決手段】手前が作業者側Ｍである流し台２と、流し台２の上方で且つ流し台２に設けたシンク６より奥側となる位置２ａへ左右方向に沿って引き出し可能に設けたスライド部材３とを備え、流し台２の左右いずれか一方の側方で起立する起立面部４に吐水器具５を設け、吐水器具５から流し台２のシンク６ヘ吐水できるようにしたこと。【効果】流し台奥側位置２ａに吐水器具を設ける必要がないことから流し台２の奥行き寸法Ｄを短くできると共に、起立面部４からシンク６までの寸法も短くできる。【選択図】図１
2007202611.tif 000002
【特許請求の範囲】
【請求項１】
手前が作業者側である流し台と、流し台の上方で且つ流し台に設けたシンクより奥側となる位置へ左右方向に沿って引き出し可能に設けたスライド部材とを備えたキッチン設備において、流し台の左右いずれか一方の側方で起立する起立面部に吐水器具を設け、吐水器具から流し台のシンクヘ吐水できるようにしたことを特徴とするキッチン設備。
【請求項２】
前記流し台の左右いずれか一方の側方にサイドキャビネットを立設し、サイドキャビネットの側面部で前記起立面部を形成した請求項１に記載のキッチン設備。
【請求項３】
前記サイドキャビネットは、その奥側に、前記位置へ引き出したスライド部材を格納する格納部を設け、その手前側に、作業者側に面して開口する機器設置部を設けた請求項２に記載のキッチン設備。
【請求項４】
前記スライド部材は、キッチン小物を収納できる収納部と、収納したキッチン小物から滴下する水滴を受け止める水受け部材とを備えている請求項１，２又は３に記載のキッチン設備。
【発明の詳細な説明】
【技術分野】
【０００１】
本発明は、手前が作業者側である流し台の上方で且つ流し台に設けたシンクより奥側となる位置へ引き出し可能なスライド部材を左右方向に沿って移動可能に設けたキッチン設備に関するものである。
【背景技術】
【０００２】
特許文献１に記載のキッチン設備は、手前側が作業者側となる流し台の後寄り（作業者側と反対側）に吐水器具を設けると共に、流し台の上方で且つ流し台に設けたシンクより奥側となる位置へ左右方向に沿って引き出し可能なスライド部材を設けたものである。このキッチン設備は、流し台の後寄りに設けた吐水器具と引き出したスライド部材との衝突を回避するために、流し台の左右一方の側縁と吐水器具との間に、スライド部材を引き出すための引出用空間を確保するようにしている。
【特許文献１】実公平６−４６３５７号公報
【発明の開示】
【発明が解決しようとする課題】
【０００３】
しかし、前記キッチン設備は、流し台の左右一方の側縁と吐水器具との間にスライド部材用の引出用空間を確保しているため、流し台の左右幅寸法が大きくなり、左右幅寸法の小さな小型の流し台に適用することができない問題がある。もし、左右幅寸法の小さな小型の流し台に適用できるようにするために、吐水器具と流し台の後縁部（バックガート）との間に引出用空間を確保する別態様も考えられるが、この別態様では流し台の奥行き寸法が大きくなり、奥行き寸法の小さな小型の流し台に適用することができない問題が生じる。いずれにしても、小型の流し台の上方で且つ流し台に設けたシンクより奥側となる位置へ左右方向に沿って引き出し可能なスライド部材を設けことは、困難てあった。
【０００４】
そこで、本発明は、前記問題点を解決するたに創案したものであって、流し台を大型化することなく流し台の上方で且つ流し台に設けたシンクより奥側となる位置へ左右方向に沿って移動可能なスライド部材を設けることができるキッチン設備を提供しようとするものである。
【課題を解決するための手段】
【０００５】
流し台を大型化することなく流し台の奥側へ左右方向に沿って移動可能なスライド部材を設けるために請求項１記載の本発明が採用した手段は、手前が作業者側である流し台と、流し台の上方で且つ流し台に設けたシンクより奥側となる位置へ左右方向に沿って引き出し可能に設けたスライド部材とを備えたキッチン設備において、流し台の左右いずれか一方の側方で起立する起立面部に吐水器具を設け、吐水器具から流し台のシンクヘ吐水できるようにしたことを特徴とするキッチン設備である。
本発明にあっては、流し台の奥側に吐水器具を設ける必要がないことから流し台の奥行き寸法を短くできると共に、起立面部からシンクまでの寸法も短くできる。
【０００６】
サイドキャビネットの有効利用を図るために請求項２記載の本発明が採用した手段は、前記流し台の左右いずれか一方の側方にサイドキャビネットを立設し、サイドキャビネットの側面部で前記起立面部を形成した請求項１に記載のキッチン設備である。
本発明にあっては、サイドキャビネットの側面部を利用して吐水器具を取付けることができる。
【０００７】
使い勝手を向上するために請求項３記載の本発明が採用した手段は、前記サイドキャビネットは、その奥側に、前記位置へ引き出したスライド部材を格納する格納部を設け、その手前側に、作業者側に面して開口する機器設置部を設けた請求項２に記載のキッチン設備である。なお、前記流し台及び前記サイドキャビネットを更に使い易くするために、流し台及びサイドキャビネットは、奥行き寸法を同一又は略同一にして、作業者側に大きな凹凸を形成しないように配置することもある。
本発明にあっては、サイドキャビネットの機器設置部が作業者側に面して開口するので、機器設置部に電子レンジ等の機器を使い易いように配置することができる。
【０００８】
スライド部材に濡れた物を収納できるようにするために請求項４記載の本発明が採用した手段は、前記スライド部材は、キッチン小物を収納できる収納部と、収納したキッチン小物から滴下する水滴を受け止める水受け部材とを備えている請求項１，２又は３に記載のキッチン設備である。
本発明にあっては、スライド部材に収納したキッチン小物から滴下する水滴を水受け部材で受け止めることができる。
【発明の効果】
【０００９】
請求項１記載の本発明に係るキッチン設備は、流し台の奥行き寸法を短くできると共に起立面部からシンクまでの寸法も短くできるので、流し台を大型化することなく流し台の奥側へ左右方向に沿って移動可能なスライド部材を設けることが可能となる。また、流し台の左右いずれか一方の側方で起立する起立面部に吐水器具を設けたので、流し台の奥側まで手を延ばすことなく、吐水器具を使用することができる。
【００１０】
請求項２記載の本発明に係るキッチン設備は、サイドキャビネットの側面部を利用して吐水器具を取付けることができるので、サイドキャビネットを有効利用して全体をコンパクトにすることが可能となる。
【００１１】
請求項３記載の本発明に係るキッチン設備は、サイドキャビネットの機器設置部が作業者側に面して開口するので、機器設置部に電子レンジ等の機器を使い易いように配置して、使い勝手を向上させることが可能となる。
【００１２】
請求項４記載の本発明に係るキッチン設備は、キッチン小物から滴下する水滴を水受け部材で受け止めることができるので、スライド部材に濡れた物を収納することが可能となる。
【発明を実施するための最良の形態】
【００１３】
本発明に係るキッチン設備（以下、「本発明キッチン設備」と言う。）を図面に示す実施形態に基づいて説明する。
【００１４】
図１は本発明キッチン設備１の実施の形態を示すものであり、（Ａ）はスライド部材３を引き出した状態の本発明キッチン設備１の全体を示す正面図、（Ｂ）は（Ａ）のｂ−ｂ線における平面図である。図２は図１（Ａ）のｃ−ｃ線における左側面図である。図３はスライド部材３を格納すると共に水切り棚２４の収納部２４ａを降下させた状態の本発明キッチン設備１の全体を示す正面図である。
【００１５】
本発明キッチン設備１は、手前が作業者側Ｍである流し台２と、流し台２の上方で且つ流し台２に設けたシンク６より奥側の位置２ａ（図１（Ｂ）に示す後縁部２ｂとシンク６との間の位置。以下、単に「流し台奥側位置２ａ」という。）へ左右方向に沿って引き出し可能に設けたスライド部材３と、流し台２の左右いずれか一方の側方（本例では右側）で流し台２と隣り合わせで起立する起立面部４と、起立面部４に設けた吐水器具５と備え、吐水器具５から流し台２のシンク６ヘ吐水できるように構成してある。本発明キッチン設備１は、スライド部材３の移動を阻害する吐水器具等を配設しない流し台奥側位置２ａの奥行き寸法を短くして、流し台２の全体の奥行き寸法Ｄを短くできると共に、シンク６から起立面部４までの寸法を短くして、流し台２の幅寸法Ｗも短くできることから、小型の流し台２に適用することが可能となる。
【００１６】
本発明キッチン設備１は、流し台２の左右いずれか一方の側方（本例は右側）に隣り合わせるようにサイドキャビネット７を立設し、サイドキャビネット７の側面部で前記起立面部４を形成して、サイドキャビネット７の側面部を利用して吐水器具５を取付けてある。
【００１７】
前記サイドキャビネット７は、その奥側にスライド部材用格納部７ａ（図１（Ｂ）参照）を設け、流し台奥側位置２ａから左右方向に沿ってスライド移動したスライド部材３を格納部７ａで格納するようにしてあり、また、その手前側に、作業者側Ｍに面して開口する機器設置部７ｂを設け、機器設置部７ｂに電子レンジ等の機器８を使い易いように配置できるようにしてある。サイドキャビネット７は、流し台２と奥行き寸法を同一又は略同一にして、作業者側Ｍに大きな凹凸を形成しないように配置してあり、使用者の左右方向への移動をし易くして使い勝手の向上を図ってある。使用者は、サイドキャビネット７の機器設置部７ｂが作業者側Ｍに面して開口するので、機器８の操作が簡単にできる。
【００１８】
前記サイドキャビネット７は、機器設置部７ｂより上方に、作業者側Ｍに面して開口する収納用空間部７ｄ（図１（Ｂ）参照）を設けると共に、機器設置部７ｂと流し台２のワークトップ（天板）９の高さ位置との間に施工用空間部７ｃを設けて、施工用空間部７ｃを利用して配管や配線等を簡単に施工できるようにしてある。更に、サイドキャビネット７は、施工用空間部７ｃより下方に、食洗機１０及び縦長の引出し１１を並設できるように空間部を形成してある。
【００１９】
前記スライド部材３は、手前側が開口するように枠状に組み立てられ、枠体１３の内側１３ａの適所に、コップ等の小物を載置できる棚１４、布巾等を掛ける棒状引掛け具１５及び杓子等を吊り下げるフック１６等からなる収納部を備えると共に、枠体１３の底部側に水受け部材１７を着脱可能に備え、収納部に収納したキッチン小物から滴下する水滴を水受け部材１７で受け止めるようにしてある。前記スライド部材３と前記サイドキャビネット７のスライド部材用格納部７ａとの間にスライド案内手段１８が配設されており、スライド部材３は、スライド案内手段１８に案内されて、格納部７ａ内の格納状態Ｅ（図３参照）から流し台奥側位置２ａへ引き出した引出状態Ｆ（図１参照）まで円滑に移動できるようになっている。スライド部材３の移動操作は、スライド部材３に取付けた把手１９を利用して行うようにしてある。スライド案内手段１８は、本例の場合、スライド部材３の上部に前後二組が配設され、目隠し板２０（図１（Ａ）参照）で覆われて見えないようにしてある。
【００２０】
前記吐水器具５は、起立面部４（サイドキャビネット７の側面部）に本体部５ａが取付けられ、サイドキャビネット７の施工用空間部７ｃを利用して配管がなされている。吐水器具５は、本体部５ａから吐水管５ｂが揺動自在に延設され、吐水口からシンク６へ向かって吐水するようになっている。吐水器具５は、遠隔操作できるように、施工用空間部７ｃを覆う前板７ｅ（図１（Ａ）参照）に操作部２１を取付け、吐水のＯＮ／ＯＦＦ，水量調節及び温度調節（湯水混合水栓の場合）ができるようになっている。吐水器具５は、手動で吐水操作できるタイプを採用することも勿論可能である。
【００２１】
本例の本発明キッチン設備１は、流し台２の左側に電磁式又はガス式の加熱調理機２２が並設され、加熱調理機２２の上方に換気装置２３が設けられ、流し台２の上方に換気装置２３と並んで水切り棚２４が設けられている。更に、本例の本発明キッチン設備１は、サイドキャビネット７の上方に収納装置２５が設けられ、サイドキャビネット７の右側に冷蔵庫２６を配置してある。収納装置２５は、水切り棚２４に比べて奥行き寸法が大きく、水切り棚２４から露出する外側面２５ａに照明器具２７を取付けてある。水切り棚２４は、照明器具２７と干渉しないように昇降式の収納部２４ａを備えている。水切り棚２４は、照明器具２７と干渉しない開閉扉（図示略）を備えるタイプや、開閉扉を備えない開口タイプとすることも可能である。
【図面の簡単な説明】
【００２２】
【図１】本発明キッチン設備の実施の形態を示すものであり、（Ａ）はスライド部材を引き出した状態の本発明キッチン設備の全体を示す正面図、（Ｂ）は（Ａ）のｂ−ｂ線における平面図である。
【図２】図１（Ａ）のｃ−ｃ線における左側面図である。
【図３】スライド部材を格納すると共に水切り棚の収納部を降下させた状態の本発明キッチン設備の全体を示す正面図である。
【符号の説明】
【００２３】
１…本発明キッチン設備、２…流し台、２ａ…流し台奥側位置、３…スライド部材、４…起立面部、５…吐水器具
【図１】
2007202611.tif 000003
【図２】
2007202611.tif 000004
【図３】
2007202611.tif 000005